(57)【特許請求の範囲】
【請求項１】
ユーザ機器（ＵＥ）によるワイヤレス通信のための方法であって、
第１のセルについての第１のインデックスの構成を受信することと、ここにおいて、前記第１のインデックスは、ダウンリンク制御情報（ＤＣＩ）メッセージ内における第１の位置にマッピングされ、前記第１のインデックスは、前記ＵＥに対して構成されたコンポーネントキャリア（ＣＣ）のグループについての再構成インジケータの位置を決定するために用いられる、
サブフレーム内において前記ＤＣＩメッセージを受信することと、
前記第１のインデックスおよび前記ＤＣＩメッセージに基づいて、前記第１のセルについてのアップリンク（ＵＬ）／ダウンリンク（ＤＬ）サブフレーム構成のインジケーションを決定することと、
前記第１のセルについての前記決定されたＵＬ／ＤＬサブフレーム構成に基づいて、前記第１のセルと通信することと
を備える、方法。
【請求項２】
第２のセルについての第２のインデックスの構成を受信すること、ここにおいて、前記第２のインデックスは、前記第１のインデックスと同じである、をさらに備える、請求項１に記載の方法。
【請求項３】
第２のセルについての第２のインデックスの構成を受信すること、ここにおいて、前記第１のインデックスおよび前記第２のインデックスは、異なる、をさらに備える、請求項１に記載の方法。
【請求項４】
前記ＵＥについての、前記第１のセルを含む、複数のセルの構成を受信すること、ここにおいて、前記複数のセルは、プライマリセルおよび少なくとも１つのセカンダリセルを備える、をさらに備える、請求項１に記載の方法。
【請求項５】
前記ＤＣＩメッセージは、共通検索スペース内において受信される、請求項１に記載の方法。
【請求項６】
前記ＤＣＩメッセージは、セル内のダウンリンクサブフレームのサブセット内における前記ＵＥによってモニタされる、請求項１に記載の方法。
【請求項７】
前記第１のセルは、動的に変化するＵＬ／ＤＬサブフレーム構成をサポートする、請求項１に記載の方法。
【請求項８】
基地局（ＢＳ）によるワイヤレス通信のための方法であって、
ダウンリンク制御情報（ＤＣＩ）メッセージ内の異なる位置におけるセルのグループのセットについてのアップリンク（ＵＬ）／ダウンリング（ＤＬ）サブフレーム構成情報を備える前記ＤＣＩメッセージを生成することと、
前記セルのグループのうちの少なくとも１つを使用して通信するように構成された少なくとも１つのＵＥに前記ＤＣＩメッセージを送信することと、
第１のセルについての前記ＤＣＩメッセージ内における位置にマッピングされたインデックスで前記少なくとも１つのＵＥを構成することと
を備え、前記インデックスは、前記少なくとも１つのＵＥに対して構成されたコンポーネントキャリア（ＣＣ）のグループについての再構成インジケータの位置を決定するために用いられる、方法。
【請求項９】
セルが動的に変化するＵＬ／ＤＬサブフレーム構成をサポートするかどうかを決定することと、
前記セルが前記動的に変化するＵＬ／ＤＬサブフレーム構成をサポートする場合に前記セルをセルのグループに割り当てることと
をさらに備える、請求項８に記載の方法。
【請求項１０】
同時に同じＵＬ／ＤＬサブフレーム構成を使用するために同じグループの全てのセルを構成することをさらに備える、請求項８に記載の方法。
【請求項１１】
第２のセルについての前記ＤＣＩメッセージ内における前記位置にマッピングされた前記インデックスを構成することと、ここにおいて、前記第１のセルおよび前記第２のセルは、同じグループのものである、
をさらに備える、請求項８に記載の方法。
【請求項１２】
前記ＤＣＩを送信することは、
各セルのグループの前記ＵＬ／ＤＬサブフレーム構成を示すために前記ＤＣＩ内における再構成インジケータを送信することを備える、請求項８に記載の方法。
【請求項１３】
第２のＵＥに前記ＤＣＩメッセージを送信すること、ここにおいて、前記第２のＵＥは、前記少なくとも１つのＵＥによってモニタされたセルのグループのセットとは異なるセルのグループのセットをモニタする、をさらに備える、請求項８に記載の方法。
【請求項１４】
ユーザ機器（ＵＥ）によるワイヤレス通信のための装置であって、
第１のセルについての第１のインデックスの構成を受信するための手段と、ここにおいて、前記第１のインデックスは、ダウンリンク制御情報（ＤＣＩ）メッセージ内における第１の位置にマッピングされ、前記第１のインデックスは、前記ＵＥに対して構成されたコンポーネントキャリア（ＣＣ）のグループについての再構成インジケータの位置を決定するために用いられる、
サブフレーム内において前記ＤＣＩメッセージを受信するための手段と、
前記第１のインデックスおよび前記ＤＣＩメッセージに基づいて、前記第１のセルについてのアップリンク（ＵＬ）／ダウンリンク（ＤＬ）サブフレーム構成のインジケーションを決定するための手段と、
前記第１のセルについての前記決定されたＵＬ／ＤＬサブフレーム構成に基づいて、前記第１のセルと通信するための手段と
を備える、装置。
【請求項１５】
基地局（ＢＳ）によるワイヤレス通信のための装置であって、
ダウンリンク制御情報（ＤＣＩ）メッセージ内の異なる位置におけるセルのグループのセットについてのアップリンク（ＵＬ）／ダウンリング（ＤＬ）サブフレーム構成情報を備える前記ＤＣＩメッセージを生成するための手段と、
前記セルのグループのうちの少なくとも１つを使用して通信するように構成された少なくとも１つのＵＥに前記ＤＣＩメッセージを送信するための手段と、
第１のセルについての前記ＤＣＩメッセージ内における位置にマッピングされたインデックスで前記少なくとも１つのＵＥを構成するための手段と
を備え、前記インデックスは、前記少なくとも１つのＵＥに対して構成されたコンポーネントキャリア（ＣＣ）のグループについての再構成インジケータの位置を決定するために用いられる、装置。
【発明の詳細な説明】
【優先権の主張】
【０００１】
[0001]本特許出願は、２０１３年１０月３０日に出願された、国際出願第ＰＣＴ／ＣＮ２０１３／０８６２２９号の優先権を主張し、本願の譲受人に譲渡され、参照によって本願明細書に明確に組み込まれる。
【技術分野】
【０００２】
[0002]本開示は概して、ワイヤレス通信に関し、より具体的には、時分割複信（ＴＤＤ）アップリンク（ＵＬ）／ダウンリンク（ＤＬ）サブフレーム構成の動的インジケーションのための方法および装置に関する。
【背景技術】
【０００３】
[0003]ワイヤレス通信システムは、電話通信、映像、データ、メッセージング、およびブロードキャストのような様々な電気通信サービスを提供するために広く展開されている。典型的なワイヤレス通信システムは、利用可能なシステムリソース（例えば、帯域幅、送信電力）を共有することによって多数のユーザとの通信をサポートすることが可能な多元接続技術を用いうる。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]これらの多元接続技術は、異なるワイヤレスデバイスが、都市、国家、地域、さらには地球規模で通信することを可能にする共通プロトコルを提供するために様々な電気通信規格において採用されてきた。台頭してきた電気通信規格の例は、ロングタームエボリューション（ＬＴＥ（登録商標））である。ＬＴＥ／ＬＴＥアドバンストは、第３世代パートナーシッププロジェクト（３ＧＰＰ（登録商標））によって公表されたユニバーサルモバイル電気通信システム（ＵＭＴＳ）のモバイル規格を強化したもののセットである。それは、スペクトル効率を改善することによってモバイルブロードバンドインターネットアクセスをより良くサポートし、コストを下げ、サービスを改善し、新たなスペクトルを利用し、ダウンリンク（ＤＬ）上においてＯＦＤＭＡを、アップリンク（ＵＬ）上においてＳＣ−ＦＤＭＡを、そして多入力多出力（ＭＩＭＯ）アンテナ技術を使用して、他のオープン規格とより良く統合するように設計されている。しかしながら、モバイルブロードバンドアクセスに対する需要が増加し続けるにつれて、ＬＴＥ技術における更なる改善の必要性が存在する。好ましくは、これらの改善は、他の多元接続技術およびこれらの技術を用いる電気通信規格に適用可能であるべきである。
【発明の概要】
【０００５】
[0005]本開示のある特定の態様は、ユーザ機器（ＵＥ）によるワイヤレス通信のための方法を提供する。方法は概して、第１のセルについての第１のインデックスの構成を受信することと、ここにおいて、第１のインデックスは、ダウンリンク制御情報（ＤＣＩ）メッセージ内における第１の位置にマッピングされる、サブフレーム内においてＤＣＩメッセージを受信することと、第１のインデックスおよびＤＣＩメッセージに基づいて、第１のセルについてのＵＬ／ＤＬサブフレーム構成のインジケーションを決定することと、第１のセルについての決定されたＵＬ／ＤＬサブフレーム構成に基づいて、第１のセルと通信することとを含む。
【０００６】
[0006]本開示のある特定の態様は、基地局によるワイヤレス通信のための方法を提供する。方法は概して、ダウンリンク制御情報（ＤＣＩ）メッセージ内の異なる位置におけるセルのグループの第１のセットについてのＵＬ／ＤＬサブフレーム構成情報を備えるＤＣＩメッセージを生成することと、セルのグループのうちの少なくとも１つを使用して通信するように構成された少なくとも１つのＵＥにＤＣＩメッセージを送信することとを含む。
【０００７】
[0007]態様は概して、添付の図面に関連しておよびそれらによって例示されるように本明細書において実質的に説明される、方法、装置、システム、コンピュータプログラム製品、および処理システムを含む。「ＬＴＥ」は概して、ＬＴＥおよびＬＴＥアドバンスト（ＬＴＥ−Ａ）を指す。
【図面の簡単な説明】
【０００８】
【図１】ネットワークアーキテクチャの例を例示する図である。
【図２】アクセスネットワークの例を例示する図である。
【図３】ＬＴＥにおけるＤＬフレーム構造の例を例示する図である。
【図４】ＬＴＥにおけるＵＬフレーム構造の例を例示する図である。
【図５】ユーザおよび制御プレーンのための無線プロトコルアーキテクチャの例を例示する図である。
【図６】本開示のある特定の態様にしたがって、アクセスネットワーク内における発展型ノードＢおよびユーザ機器の例を例示する図である。
【図７】ＬＴＥ時分割複信（ＴＤＤ）のための実例的なフレーム構造を例示する。
【図８】ＬＴＥ ＴＤＤによって使用されるＵＬ／ＤＬサブフレーム構成を例示する。
【図９】本開示のある特定の態様にしたがって、３つのキャリアにわたるセルのグループ分けを例示する。
【図１０】本開示のある特定の態様にしたがって、ＵＥ１およびＵＥ２についての再構成インジケータの決定された位置を例示する。
【図１１】本開示のある特定の態様にしたがって、例えば、ＵＬ／ＤＬサブフレーム構成のクロスキャリア（cross-carrier）インジケーションのためにＵＥによって遂行される実例的な動作１１００を例示する。
【図１２】本開示のある特定の態様にしたがって、例えば、ＵＬ／ＤＬサブフレーム構成のクロスキャリアインジケーションのためにＢＳによって遂行される実例的な動作１２００を例示する。
【詳細な説明】
【０００９】
[0020]ある特定の態様において、発展型ノードＢ（ｅＮＢ）のうちの１つまたは複数は、１つまたは複数のユーザ機器ＵＥに、明示的なシグナリングを介して１つまたは複数のセル内において使用されるべきアップリンク（ＵＬ）／ダウンリンク（ＤＬ）構成（例えば、フレーム内におけるＵＬおよびＤＬサブフレームの番号および位置）を示しうる。このタイプのシグナリングは特に、セルがトラフィック適応のための発展型干渉管理（ｅＩＭＴＡ：evolved interference management for traffic adaption）のために可能にされる場合に有用でありえ、それは、セルが、トラフィックのニーズに基づいてそのＵＬ／ＤＬ構成を変更することを可能にする。ｅＩＭＴＡは、以下の段落内において詳細に論述される。ある特定の態様において、キャリアアグリゲーションは、動作帯域幅を増加させるためにＬＴＥにおいて使用される。
【００１０】
[0021]例えば、ＵＥは、２つ以上のコンポーネントキャリア（ＣＣ）で構成されうる。ＣＣのうちの１つまたは複数は、ｅＩＭＴＡ使用可能でありうる。以下において論述される本開示のある特定の態様によると、ｅＩＭＴＡ使用可能なＣＣについてのＵＬ／ＤＬ構成のクロスキャリアインジケーションは、ＣＣごとの１つのインジケータの代わりに、ＣＣのグループに基づきうる。さらに、以下において論述されるように、ＣＣの多数のグループについての多数のＵＬ／ＤＬ構成インジケータは、同じ再構成ＤＣＩ（ダウンリンク制御情報）内に含まれうる。しかしながら、ＵＥは、ＤＣＩ内に含まれるグループのサブセットに対してのみ制御情報をモニタする必要がありうる。本開示のある特定の態様は、ＵＥが、受信されたＤＣＩからＵＥによって使用されるべきＣＣグループのサブセットについての制御情報の位置を決定することを可能にするための技法を論述する。
【００１１】
[0022]添付された図面に関連して以下に記載の詳細な説明は、様々な構成の説明として意図されるものであり、本明細書において説明される概念が実施されうる唯一の構成を表すように意図されるものではない。詳細な説明は、様々な概念の完全な理解を提供する目的のために特定の詳細を含む。しかしながら、これらの概念がこれらの特定の詳細なしに実施されうることは当業者にとって明らかであろう。いくつかの実例において、よく知られている構造およびコンポーネントは、そのような概念を曖昧にすることを避けるためにブロック図形式で示される。
【００１２】
[0023]ここでは、電気通信システムのいくつかの態様が様々な装置および方法に関連して提示される。これらの装置および方法は、以下の詳細な説明内において説明され、添付の図面内において、様々なブロック、モジュール、コンポーネント、回路、ステップ、処理、アルゴリズム、等（総称して「要素」と呼ばれる）によって例示される。これらの要素は、ハードウェア、ソフトウェア、またはそれらの組み合わせを使用してインプリメントされうる。そのような要素がハードウェアとしてまたはソフトウェアとしてインプリメントされるかどうかは、特定のアプリケーションおよびシステム全体上において課せられる設計の制約に依存する。
【００１３】
[0024]例として、要素、または要素の任意の一部、あるいは要素の任意の組み合わせは、１つまたは複数のプロセッサを含む「処理システム」を用いてインプリメントされうる。プロセッサの例は、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、ステートマシン、ゲート論理、離散ハードウェア回路、および本開示全体を通じて説明される様々な機能を遂行するように構成された他の適したハードウェアを含む。処理システム内における１つまたは複数のプロセッサは、ソフトウェアを実行しうる。ソフトウェアは、ソフトウェア／ファームウェア、ミドルウェア、マイクロコード、ハードウェア記述言語、または別の名称で呼ばれるかどうかにかかわらず、命令、命令のセット、コード、コードセグメント、プログラムコード、プログラム、サブプログラム、ソフトウェアモジュール、アプリケーション、ソフトウェアアプリケーション、ソフトウェアパッケージ、ファームウェア、ルーチン、サブルーチン、オブジェクト、実行ファイル、実行スレッド、プロシージャ、関数、等を意味するように広く解釈されるものとする。
【００１４】
[0025]それ故に、１つまたは複数の例証的な実施形態において、説明される機能は、ハードウェア、ソフウェア、またはそれらの組み合わせにおいてインプリメントされうる。ソフトウェアにおいてインプリメントされる場合、これらの機能は、コンピュータ可読媒体上において１つまたは複数の命令あるいはコードとして記憶もしくは符号化されうる。コンピュータ可読媒体は、コンピュータ記憶媒体を含む。記憶媒体は、コンピュータによってアクセスされることができる任意の利用可能な媒体でありうる。限定ではなく例として、そのようなコンピュータ可読媒体は、ＲＡＭ、ＲＯＭ、ＥＥＰＲＯＭ（登録商標）、ＰＣＭ（相変化メモリ）、フラッシュメモリ、ＣＤ−ＲＯＭまたは他の光ディスク記憶装置、磁気ディスク記憶装置または他の磁気記憶デバイス、あるいは命令もしくはデータ構造の形で所望のプログラムコードを搬送または記憶するために使用されることができ、コンピュータによってアクセスされることができる任意の他の媒体を備えることができる。ディスク（disk）およびディスク（disc）は、本明細書で使用される場合、コンパクトディスク（ＣＤ）（disc）、レーザーディスク（登録商標）（disc）、光ディスク（disc）、デジタル多用途ディスク（ＤＶＤ）（disc）、フロッピー（登録商標）ディスク（disk）、およびＢｌｕ−ｒａｙ（登録商標）ディスク（disc）を含み、ここにおいて、ディスク（disk）は通常、磁気的にデータを再生するが、その一方でディスク（disc）は、レーザーを用いて光学的にデータを再生する。上記の組み合わせはまた、コンピュータ可読媒体の範囲内に含まれるべきである。
【００１５】
[0026]図１は、本開示の態様が実施されうるＬＴＥネットワークアーキテクチャ１００を例示する図である。
【００１６】
[0027]例えば、上記されたように、１つまたは複数のｅＮＢ１０６および１０８は、１つまたは複数のＵＥ（例えば、ＵＥ１０２）に、明示的なシグナリングを介して１つまたは複数のセル内において使用されるべきアップリンク（ＵＬ）／ダウンリンク（ＤＬ）サブフレーム構成を示すためにＤＣＩを生成および送信しうる。さらに、ｅＮＢ１０６および１０８と、ＵＥ１０２とは、本開示のある特定の態様にしたがって、以下において詳細に論述されるＵＬ／ＤＬサブフレーム構成のクロスキャリアインジケーションのための技法をインプリメントするように構成されうる。例えば、ｅＮＢ１０６および１０８のうちの１つまたは複数は、１つのＤＣＩメッセージ内におけるＣＣのいくつかのグループについてのＵＬ／ＤＬ構成のインジケーションを含むように構成され、ＵＥ２０６は、ＵＥ２０６に対して構成されたＣＣのグループのセットについてのＵＬ／ＤＬ構成を含むＤＣＩメッセージ内における位置を決定するように構成されうる。
【００１７】
[0028]ＬＴＥネットワークアーキテクチャ１００は、発展型パケットシステム（ＥＰＳ）１００と呼ばれうる。ＥＰＳ１００は、１つまたは複数のユーザ機器（ＵＥ）１０２、発展型ＵＭＴＳ地上無線アクセスネットワーク（Ｅ−ＵＴＲＡＮ）１０４、発展型パケットコア（ＥＰＣ）１１０、ホーム加入者サーバ（ＨＳＳ）１２０、およびオペレータのＩＰサービス１２２を含みうる。ＥＰＳは、他のアクセスネットワークと相互接続することができるが、簡潔化のために、それらのエンティティ／インターフェースは、示されない。例証的な他のアクセスネットワークは、ＩＰマルチメディアサブシステム（ＩＭＳ）ＰＤＮ、インターネットＰＤＮ、アドミニストレイティブＰＤＮ（例えば、プロビジョニングＰＤＮ）、キャリア固有ＰＤＮ、オペレータ固有ＰＤＮ、および／またはＧＰＳ ＰＤＮを含みうる。示されるように、ＥＰＳは、パケット交換サービスを提供するが、当業者が容易に理解するであろうように、本開示全体を通じて提示される様々な概念は、回路交換サービスを提供するネットワークに拡張されうる。
【００１８】
[0029]Ｅ−ＵＴＲＡＮは、発展型ノードＢ（ｅＮＢ）１０６および他のｅＮＢ１０８を含む。ｅＮＢ１０６は、ＵＥ１０２に対するユーザおよび制御プレーンプロトコル終端を提供する。ｅＮＢ１０６は、Ｘ２インターフェース（例えば、バックホール）を介して他のｅＮＢ１０８に接続されうる。ｅＮＢ１０６はまた、基地局、ベーストランシーバ局、無線基地局、無線トランシーバ、トランシーバ機能、基本サービスセット（ＢＳＳ）、拡張サービスセット（ＥＳＳ）、アクセスポイント、または何らかの他の適した専門用語で呼ばれうる。ｅＮＢ１０６は、ＵＥ１０２に対してＥＰＣ１１０へのアクセスポイントを提供しうる。ＵＥ１０２の例は、セルラ電話、スマートフォン、セッション開始プロトコル（ＳＩＰ）電話、ラップトップ、携帯情報端末（ＰＤＡ）、衛星ラジオ、全地球測位システム、マルチメディアデバイス、ビデオデバイス、デジタルオーディオプレイヤ（例えば、ＭＰ３プレイヤ）、カメラ、ゲーム機器、タブレット、ネットブック、スマートブック、ウルトラブック、または任意の他の同様の機能的なデバイスを含む。ＵＥ１０２はまた、当業者によって、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の適した専門用語で呼ばれうる。
【００１９】
[0030]ｅＮＢ１０６は、Ｓ１インターフェースによってＥＰＣ１１０に接続される。ＥＰＣ１１０は、モビリティ管理エンティティ（ＭＭＥ）１１２、他のＭＭＥ１１４、サービングゲートウェイ１１６、およびパケットデータネットワーク（ＰＤＮ）ゲートウェイ１１８を含む。ＭＭＥ１１２は、ＵＥ１０２とＥＰＣ１１０との間でのシグナリングを処理する制御ノードである。一般に、ＭＭＥ１１２は、ベアラおよび接続管理を提供する。全てのユーザＩＰパケットは、サービングゲートウェイ１１６を通じて転送され、それ自体は、ＰＤＮゲートウェイ１１８に接続される。ＰＤＮゲートウェイ１１８は、ＵＥにＩＰアドレス割り振り、ならびに他の機能を提供する。ＰＤＮゲートウェイ１１８は、オペレータのＩＰサービス１２２に接続される。オペレータのＩＰサービス１２２は、例えば、インターネット、イントラネット、ＩＰマルチメディアサブシステム（ＩＭＳ）、およびＰＳ（パケット交換）ストリーミングサービス（ＰＳＳ）を含みうる。このように、ＵＥ１０２は、ＬＴＥネットワークを通じてＰＤＮに結合されうる。
【００２０】
[0031]図２は、本開示の態様が実施されうるＬＴＥネットワークアーキテクチャ内におけるアクセスネットワーク２００の例を例示する図である。ｅＮＢ２０４およびＵＥ２０６は、以下において論述される本開示のある特定の態様にしたがってＵＬ／ＤＬ構成のクロスキャリアインジケーションのための技法をインプリメントするように構成されうる。
【００２１】
[0032]この例において、アクセスネットワーク２００は、多数のセルラ領域（セル）２０２に分割されている。１つまたは複数のより低い電力クラスのｅＮＢ２０８は、セル２０２のうちの１つまたは複数と重複するセルラ領域２１０を有しうる。より低い電力クラスのｅＮＢ２０８は、遠隔無線ヘッド（ＲＲＨ：remote radio head）と呼ばれうる。より低い電力クラスのｅＮＢ２０８は、フェムトセル（例えば、ホームｅＮＢ（ＨｅＮＢ））、ピコセル、またはマイクロセルでありうる。マクロｅＮＢ２０４は各々、それぞれのセル２０２に割り当てられ、セル２０２内における全てのＵＥ２０６に対してＥＰＣ１１０へのアクセスポイントを提供するように構成される。アクセスネットワーク２００のこの例には集中型コントローラが存在しないが、代替の構成においては集中型コントローラが使用されうる。ｅＮＢ２０４は、無線ベアラ制御、アドミッション制御、モビリティ制御、スケジューリング、セキュリティ、およびサービングゲートウェイ１１６への接続性を含む、全ての無線に関連する機能を担う。ネットワーク２００はまた、（示されていないが）１つまたは複数のリレーを含みうる。１つのアプリケーションによると、ＵＥは、リレーとしての役割を果たしうる。
【００２２】
[0033]アクセスネットワーク２００によって用いられる変調および多元接続スキームは、展開される特定の電気通信規格に依存して異なりうる。ＬＴＥアプリケーションにおいて、周波数分割複信（ＦＤＤ）および時分割複信（ＴＤＤ）の両方をサポートするために、ＯＦＤＭは、ＤＬ上において使用され、ＳＣ−ＦＤＭＡは、ＵＬ上において使用される。以下の詳細な説明から当業者が容易に理解するであろうように、本明細書において提示される様々な概念は、ＬＴＥアプリケーションによく適する。しかしながら、これらの概念は、他の変調および多元接続技法を用いる他の電気通信規格に容易に拡張されうる。例として、これらの概念は、エボリューションデータオプティマイズド（ＥＶ−ＤＯ：Evolution-Data Optimized）またはウルトラモバイルブロードバンド（ＵＭＢ）に拡張されうる。ＥＶ−ＤＯおよびＵＭＢは、ＣＤＭＡ２０００規格ファミリの一部として、第３世代パートナーシッププロジェクト２（３ＧＰＰ２）によって公表されたエアインタフェース規格であり、モバイル局にブロードバンドインターネットアクセスを提供するためにＣＤＭＡを用いる。これらの概念はまた、広帯域ＣＤＭＡ（Ｗ−ＣＤＭＡ（登録商標））、およびＴＤ−ＳＣＤＭＡのようなＣＤＭＡの他の変形を用いるユニバーサル地上無線アクセス（ＵＴＲＡ）、ＴＤＭＡを用いる移動体通信のためのグローバルシステム（ＧＳＭ（登録商標））、およびＯＦＤＭＡを用いる発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、およびフラッシュＯＦＤＭに拡張されうる。ＵＴＲＡ、Ｅ−ＵＴＲＡ、ＵＭＴＳ、ＬＴＥ、およびＧＳＭは、３ＧＰＰの組織からの文書内において説明されている。ＣＤＭＡ２０００およびＵＭＢは、３ＧＰＰ２の組織からの文書内において説明されている。用いられる実際のワイヤレス通信規格および多元接続技術は、特定のアプリケーションおよびシステム上において課せられる全体的な設計の制約に依存するであろう。
【００２３】
[0034]ｅＮＢ２０４は、ＭＩＭＯ技術をサポートする多数のアンテナを有しうる。ＭＩＭＯ技術の使用は、ｅＮＢ２０４が、空間多重化、ビームフォーミング、および送信ダイバーシティをサポートするために空間ドメインを利用することを可能にする。空間多重化は、同じ周波数上において同時にデータの異なるストリームを送信するために使用されうる。データストリームは、データレートを増加させるために単一のＵＥ２０６に、または、全体的なシステム容量を増加させるために多数のＵＥ２０６に、送信されうる。これは、各データストリームを空間的にプリコーディングし（例えば、振幅および位相のスケーリングを適用し）、その後、ＤＬ上における多数の送信アンテナを通じて各空間的にプリコーディングされたストリームを送信することによって達成される。空間的にプリコーディングされたデータストリームは、異なる空間シグネチャとともにＵＥ２０６へと到達し、それは、ＵＥ２０６の各々が、そのＵＥ２０６に宛てられた１つまたは複数のデータストリームを復元することを可能にする。ＵＬ上において、各ＵＥ２０６は、空間的にプリコーディングされたデータストリームを送信し、それは、ｅＮＢ２０４が、各空間的にプリコーティングされたデータストリームのソースを識別することを可能にする。
【００２４】
[0035]空間多重化は概して、チャネル条件が良好な場合に使用される。チャネル条件があまり良好でない場合、１つまたは複数の方向に送信エネルギーを集中するためにビームフォーミングが使用されうる。これは、多数のアンテナを通じて送信するためのデータを空間的にプリコーディングすることによって達成されうる。セルの端において良好なカバレッジを達成するために、単一ストリームのビームフォーミング送信が送信ダイバーシティと組み合わせて使用されうる。
【００２５】
[0036]以下の詳細な説明において、アクセスネットワークの様々な態様が、ＤＬ上においてＯＦＤＭをサポートするＭＩＭＯシステムに関連して説明される。ＯＦＤＭは、ＯＦＤＭシンボル内における多数のサブキャリアにわたってデータを変調するスペクトル拡散技法である。サブキャリアは、正確な周波数で間隔が空けられる。間隔を空けることは、受信機が、サブキャリアからデータを復元することを可能にする「直交性」を提供する。時間ドメインにおいて、ＯＦＤＭシンボル間干渉に対抗するために、ガードインターバル（例えば、サイクリックプリフィクス）が各ＯＦＤＭシンボルに追加されうる。ＵＬは、高いピーク対平均電力比（ＰＡＰＲ）を補償するために、ＤＦＴ拡散ＯＦＤＭ信号の形態でＳＣ−ＦＤＭＡを使用しうる。
【００２６】
[0037]図３は、ＬＴＥにおけるＤＬフレーム構造の例を例示する図３００である。フレーム（１０ｍｓ）は、０〜９のインデックスを有する１０個の等しいサイズのサブフレームに分割されうる。各サブフレームは、２つの連続する時間スロットを含みうる。リソースグリッドは、２つの時間スロットを表すために使用され、各時間スロットは、リソースブロックを含みうる。リソースグリッドは、多数のリソース要素に分割される。ＬＴＥにおいて、リソースブロックは、周波数ドメイン内における１２個の連続するサブキャリアと、各ＯＦＤＭシンボル内における通常のサイクリックプリフィクスの場合、時間ドメイン内における７つの連続するＯＦＤＭシンボルとを、すなわち、８４個のリソース要素を含む。拡張されたサイクリックプリフィックスの場合、リソースブロックは、時間ドメイン内において６つの連続するＯＦＤＭシンボルを含み、７２個のリソース要素を有する。Ｒ３０２、Ｒ３０４として示される、リソース要素のうちのいくつかは、ＤＬ基準信号（ＤＬ−ＲＳ）を含む。ＤＬ−ＲＳは、（共通ＲＳと呼ばれることもある）セル固有のＲＳ（ＣＲＳ）３０２およびＵＥ固有のＲＳ（ＵＥ−ＲＳ）３０４を含む。ＵＥ−ＲＳ３０４は、対応する物理ＤＬ共有チャネル（ＰＤＳＣＨ）がマッピングされるリソースブロック上においてのみ送信される。各リソース要素によって搬送されるビット数は、変調スキームに依存する。このように、ＵＥが受信するリソースブロックがより多いほど、および、変調スキームがより高度であるほど、ＵＥのためのデータレートはより高くなる。
【００２７】
[0038]ＬＴＥにおいて、ｅＮＢは、ｅＮＢ内においてセルごとにプライマリ同期信号（ＰＳＳ）およびセカンダリ同期信号（ＳＳＳ）を送りうる。プライマリおよびセカンダリ同期信号は、通常のサイクリックプレフィックス（ＣＰ）の場合、各無線フレームのサブフレーム０および５の各々におけるシンボル期間６および５内においてそれぞれ送られうる。同期信号は、セル検出および獲得のためにＵＥによって使用されうる。ｅＮＢは、サブフレーム０のスロット１内におけるシンボル期間０〜３内において物理ブロードキャストチャネル（ＰＢＣＨ）を送りうる。ＰＢＣＨは、ある特定のシステム情報を搬送しうる。
【００２８】
[0039]ｅＮＢは、各サブフレームの第１のシンボル期間内において物理制御フォーマットインジケータチャネル（ＰＣＦＩＣＨ）を送りうる。ＰＣＦＩＣＨは、制御チャネルに対して使用されるシンボル期間の数（Ｍ個）を伝達し、ここにおいて、Ｍは、１、２または３に等しく、サブフレームごとに変化しうる。Ｍはまた、例えば、１０個未満のリソースブロックを有する小さなシステム帯域幅の場合、４に等しくなりうる。ｅＮＢは、各サブフレームの最初のＭ個のシンボル期間内において、物理ＨＡＲＱインジケータチャネル（ＰＨＩＣＨ）および物理ダウンリンク制御チャネル（ＰＤＣＣＨ）を送りうる。ＰＨＩＣＨは、ハイブリッド自動再送要求（ＨＡＲＱ）をサポートするための情報を搬送しうる。ＰＤＣＣＨは、ＵＥに対するリソース割り振りに関する情報と、ダウンリンクチャネルのための制御情報とを搬送しうる。ｅＮＢは、各サブフレームの残りのシンボル期間内において物理ダウンリンク共有チャネル（ＰＤＳＣＨ）を送りうる。ＰＤＳＣＨは、ダウンリンク上におけるデータ送信のためにスケジュールされたＵＥのためのデータを搬送しうる。
【００２９】
[0040]ｅＮＢは、ｅＮＢによって使用されるシステム帯域幅の中心１．０８ＭＨｚ内においてＰＳＳ、ＳＳＳ、およびＰＢＣＨを送りうる。ｅＮＢは、ＰＣＦＩＣＨおよびＰＨＩＣＨを、これらのチャネルが送られる各シンボル期間内において、システム帯域幅全体にわたって送りうる。ｅＮＢは、システム帯域幅のある特定の部分内においてＵＥのグループにＰＤＣＣＨを送りうる。ｅＮＢは、システム帯域幅の特定の部分内において特定のＵＥにＰＤＳＣＨを送りうる。ｅＮＢは、全てのＵＥにブロードキャスト方式でＰＳＳ、ＳＳＳ、ＰＢＣＨ、ＰＣＦＩＣＨ、およびＰＨＩＣＨを送り、特定のＵＥにユニキャスト方式でＰＤＣＣＨを送り、また特定のＵＥにユニキャスト方式でＰＤＳＣＨを送りうる。
【００３０】
[0041]多数のリソース要素が、各シンボル期間内において利用可能でありうる。各リソース要素（ＲＥ）は、１つのシンボル期間内において１つのサブキャリアをカバーし、１つの変調シンボルを送るために使用され、それは、実数値または複素数値でありうる。各シンボル期間内において基準信号に対して使用されないリソース要素は、リソース要素グループ（ＲＥＧ）内に配置されうる。各ＲＥＧは、１つのシンボル期間内において４つのリソース要素を含みうる。ＰＣＦＩＣＨは、シンボル期間０内において４つのＲＥＧを占有し、それらは、周波数にわたってほぼ均等に間隔が空けられうる。ＰＨＩＣＨは、１つまたは複数の構成可能なシンボル期間内において３つのＲＥＧを占有し、それらは、周波数にわたって拡散されうる。例えば、ＰＨＩＣＨのための３つのＲＥＧは、全てシンボル期間０内に属すか、またはシンボル期間０、１、および２内において拡散されうる。ＰＤＣＣＨは、例えば、最初のＭ個のシンボル期間内において、９、１８、３６、または７２個のＲＥＧを占有し、それらは、利用可能なＲＥＧから選択されうる。ＲＥＧのある特定の組み合わせのみが、ＰＤＣＣＨに対して許可されうる。本方法および装置の態様において、サブフレームは、１つよりも多くのＰＤＣＣＨを含みうる。
【００３１】
[0042]ＵＥは、ＰＨＩＣＨおよびＰＣＦＩＣＨに対して使用される特定のＲＥＧを知りうる。ＵＥは、ＰＤＣＣＨのためのＲＥＧの異なる組み合わせを探索しうる。探索する組み合わせの数は典型的に、ＰＤＣＣＨに対する許可された組み合わせの数よりも少ない。ｅＮＢは、ＵＥが探索するであろう組み合わせのいずれかにおいてＵＥにＰＤＣＣＨを送りうる。
【００３２】
[0043]図４は、ＬＴＥにおけるＵＬフレーム構造の例を例示する図４００である。ＵＬのための利用可能なリソースブロックは、データセクションおよび制御セクションに区分されうる。制御セクションは、システム帯域幅の両端において形成され、構成可能なサイズを有しうる。制御セクション内におけるリソースブロックは、制御情報の送信のためにＵＥに割り当てられうる。データセクションは、制御セクション内において含まれない全てのリソースブロックを含みうる。ＵＬフレーム構造は、隣接するサブキャリアを含むデータセクションをもたらし、それは、単一のＵＥが、データセクション内における隣接するサブキャリアの全てを割り当てられることを可能にしうる。
【００３３】
[0044]ＵＥは、ｅＮＢに制御情報を送信するために制御セクション内におけるリソースブロック４１０ａ、４１０ｂを割り当てられうる。ＵＥはまた、ｅＮＢにデータを送信するためにデータセクション内におけるリソースブロック４２０ａ、４２０ｂを割り当てられうる。ＵＥは、制御セクション内における割り当てられたリソースブロック上の物理ＵＬ制御チャネル（ＰＵＣＣＨ）内において制御情報を送信しうる。ＵＥは、データセクション内における割り当てられたリソースブロック上の物理ＵＬ共有チャネル（ＰＵＳＣＨ）内において、データのみ、またはデータと制御情報との両方を送信しうる。ＵＬ送信は、サブフレームの両スロットにまたがり、周波数にわたってホッピングしうる。
【００３４】
[0045]リソースブロックのセットは、物理ランダムアクセスチャネル（ＰＲＡＣＨ）４３０内において、初期システムアクセスを遂行し、ＵＬ同期を達成するために使用されうる。ＰＲＡＣＨ４３０は、ランダムシーケンスを搬送するが、いずれのＵＬデータ／シグナリングも搬送することはできない。各ランダムアクセスプリアンブルは、６つの連続するリソースブロックに対応する帯域幅を占有する。開始周波数は、ネットワークによって規定される。すなわち、ランダムアクセスプリアンブルの送信は、ある特定の時間および周波数リソースに制限される。ＰＲＡＣＨについては周波数ホッピングは存在しない。ＰＲＡＣＨ試行は、単一のサブフレーム（１ｍｓ）内、または少数の隣接するサブフレームのシーケンス内において搬送され、ＵＥは、フレーム（１０ｍｓ）ごとに単一のＰＲＡＣＨ試行のみを行うことができる。
【００３５】
[0046]図５は、ＬＴＥにおけるユーザおよび制御プレーンのための無線プロトコルアーキテクチャの例を例示する図５００である。ＵＥおよびｅＮＢのための無線プロトコルアーキテクチャは、レイヤ１、レイヤ２、およびレイヤ３の３つのレイヤで示される。レイヤ１（Ｌ１レイヤ）は、最下位のレイヤであり、様々な物理レイヤ信号処理機能をインプリメントする。Ｌ１レイヤは、本明細書において物理レイヤ５０６と呼ばれる。レイヤ２（Ｌ２レイヤ）５０８は、物理レイヤ５０６より上位にあり、物理レイヤ５０６を介したＵＥとｅＮＢとの間のリンクを担う。
【００３６】
[0047]ユーザプレーンにおいて、Ｌ２レイヤ５０８は、媒体アクセス制御（ＭＡＣ）サブレイヤ５１０、無線リンク制御（ＲＬＣ）サブレイヤ５１２、およびパケットデータコンバージェンスプロトコル（ＰＤＣＰ）５１４サブレイヤを含み、それらは、ネットワーク側のｅＮＢにおいて終端される。示されないが、ＵＥは、ネットワーク側のＰＤＮゲートウェイ１１８において終端されるネットワークレイヤ（例えば、ＩＰレイヤ）、および接続の他端（例えば、遠端ＵＥ、サーバ、等）において終端されるアプリケーションレイヤを含む、Ｌ２レイヤ５０８よりも上の、いくつかの上位レイヤを有しうる。
【００３７】
[0048]ＰＤＣＰサブレイヤ５１４は、異なる無線ベアラと論理チャネルとの間で多重化を提供する。ＰＤＣＰサブレイヤ５１４はまた、無線送信オーバヘッドを低減するための上位レイヤデータパケットに対するヘッダ圧縮、データパケットを暗号化することによるセキュリティ、およびｅＮＢ間のＵＥに対するハンドオーバサポートを提供する。ＲＬＣサブレイヤ５１２は、上位レイヤデータパケットのセグメンテーションおよびリアセンブリと、損失データパケットの再送と、ハイブリッド自動再送要求（ＨＡＲＱ）に起因する順序が乱れた受信を補償するためのデータパケットの並び替えとを提供する。ＭＡＣサブレイヤ５１０は、論理チャネルとトランスポートチャネルとの間で多重化を提供する。ＭＡＣサブレイヤ５１０はまた、ＵＥの間で１つのセル内における様々な無線リソース（例えば、リソースブロック）を割り振ることを担う。ＭＡＣサブレイヤ５１０はまた、ＨＡＲＱ動作を担う。
【００３８】
[0049]制御プレーンにおいて、ＵＥおよびｅＮＢのための無線プロトコルアーキテクチャは、制御プレーンに対するヘッダ圧縮機能が存在しないという点を除き、物理レイヤ５０６およびＬ２レイヤ５０８の場合と実質的に同じである。制御プレーンはまた、レイヤ３（Ｌ３レイヤ）内における無線リソース制御（ＲＲＣ）サブレイヤ５１６を含む。ＲＲＣサブレイヤ５１６は、無線リソース（すなわち、無線ベアラ）を取得することと、ｅＮＢとＵＥとの間でＲＲＣシグナリングを使用して下位レイヤを構成することとを担う。
【００３９】
[0050]図６は、本開示の態様が実施されうる、アクセスネットワーク内においてＵＥ６５０と通信するｅＮＢ６１０のブロック図である。
【００４０】
[0051]例えば、ｅＮＢ６１０は、ＵＥ６５０に、明示的なシグナリングを介して１つまたは複数のセル内において使用されるべきＵＬ／ＤＬ構成を示すためにＤＣＩを生成および送信しうる。さらに、ｅＮＢ６１０およびＵＥ６５０は、本開示のある特定の態様にしたがって、以下において詳細に論述されるＵＬ／ＤＬサブフレーム構成のクロスキャリアインジケーションのための技法をインプリメントするように構成されうる。例えば、ｅＮＢ６１０は、１つのＤＣＩメッセージ内におけるＣＣのいくつかのグループについてのＵＬ／ＤＬ構成のインジケーションを含むように構成され、ＵＥ６５０は、ＵＥ６５０に対して構成されたＣＣのグループのセットについてのＵＬ／ＤＬ構成を含むＤＣＩメッセージ内における位置を決定するように構成されうる。
【００４１】
[0052]ＤＬにおいて、コアネットワークからの上位レイヤパケットは、コントローラ／プロセッサ６７５に提供される。コントローラ／プロセッサ６７５は、Ｌ２レイヤの機能をインプリメントする。ＤＬにおいて、コントローラ／プロセッサ６７５は、ヘッダの圧縮、暗号化、パケットセグメンテーションおよび並び替え、論理チャネルとトランスポートチャネルとの間での多重化、および様々な優先順位メトリックに基づいたＵＥ６５０への無線リソースの割り振りを提供する。コントローラ／プロセッサ６７５はまた、ＨＡＲＱ動作、損失パケットの再送、ＵＥ６５０へのシグナリングを担う。
【００４２】
[0053]ＴＸプロセッサ６１６は、Ｌ１レイヤ（すなわち、物理レイヤ）のための様々な信号処理機能をインプリメントする。信号処理機能は、ＵＥ６５０における前方誤り訂正（ＦＥＣ）を容易にするためにコーディングおよびインターリーブすることと、様々な変調スキーム（例えば、２位相偏移変調（ＢＰＳＫ）、４位相偏移変調（ＱＰＳＫ）、Ｍ位相偏移変調（Ｍ−ＰＳＫ）、Ｍ値直交振幅変調（Ｍ−ＱＡＭ））に基づいて信号コンステレーションにマッピングすることとを含む。コーディングおよび変調されたシンボルは、その後、並行なストリームに分けられる。各ストリームは、その後、時間ドメインＯＦＤＭシンボルストリームを搬送する物理チャネルを生成するために、ＯＦＤＭサブキャリアにマッピングされ、時間および／または周波数ドメイン内において基準信号（例えば、パイロット）と多重化され、その後、逆高速フーリエ変換（ＩＦＦＴ）を使用してともに組み合わされる。ＯＦＤＭストリームは、多数の空間ストリームを生成するために空間的にプリコーディングされる。チャネル推定器６７４からのチャネル推定値は、コーディングおよび変調スキームを決定するために、ならびに空間処理のために使用されうる。チャネル推定値は、ＵＥ６５０によって送信されたチャネル条件フィードバックおよび／または基準信号から導出されうる。各空間ストリームは、その後、別個の送信機６１８ＴＸを介して異なるアンテナ６２０に提供される。各送信機６１８ＴＸは、送信のためにそれぞれの空間ストリームを用いてＲＦキャリアを変調する。
【００４３】
[0054]ＵＥ６５０では、各受信機６５４ＲＸは、そのそれぞれのアンテナ６５２を通じて信号を受信する。各受信機６５４ＲＸは、ＲＦキャリア上において変調された情報を復元し、受信機（ＲＸ）プロセッサ６５６に情報を提供する。ＲＸプロセッサ６５６は、Ｌ１レイヤの様々な信号処理機能をインプリメントする。ＲＸプロセッサ６５６は、ＵＥ６５０に宛てられた任意の空間ストリームを復元するために、情報に対して空間処理を遂行する。多数の空間ストリームがＵＥ６５０に宛てられる場合、それらは、ＲＸプロセッサ６５６によって単一のＯＦＤＭシンボルストリームへと組み合わされうる。ＲＸプロセッサ６５６は、その後、高速フーリエ変換（ＦＦＴ）を使用して、ＯＦＤＭシンボルストリームを時間ドメインから周波数ドメインへと変換する。周波数ドメイン信号は、ＯＦＤＭ信号のサブキャリアごとに別個のＯＦＤＭシンボルストリームを備える。各サブキャリア上におけるシンボル、および基準信号は、ｅＮＢ６１０によって送信された最も可能性の高い信号コンステレーションポイントを決定することによって復元および復調される。これらの軟判定は、チャネル推定器６５８によって計算されたチャネル推定値に基づきうる。軟判定は、その後、物理チャネル上においてｅＮＢ６１０によって当初送信されたデータおよび制御信号を復元するために復号およびデインターリーブされる。データおよび制御信号は、その後、コントローラ／プロセッサ６５９に提供される。
【００４４】
[0055]コントローラ／プロセッサ６５９は、Ｌ２レイヤをインプリメントする。コントローラ／プロセッサは、プログラムコードおよびデータを記憶するメモリ６６０に関連付けられることができる。メモリ６６０は、コンピュータ可読媒体と呼ばれうる。ＵＬにおいて、コントローラ／プロセッサ６５９は、コアネットワークからの上位レイヤパケットを復元するために、トランスポートチャネルと論理チャネルとの間での逆多重化、パケットのリアセンブリ、暗号解読、ヘッダの解凍、制御信号処理を提供する。上位レイヤパケットは、その後、データシンク６６２に提供され、それは、Ｌ２レイヤより上位の全てのプロトコルレイヤを表す。様々な制御信号はまた、Ｌ３処理のためにデータシンク６６２に提供されうる。コントローラ／プロセッサ６５９はまた、ＨＡＲＱ動作をサポートするために肯定応答（ＡＣＫ）および／または否定応答（ＮＡＣＫ）プロトコルを使用する誤り検出を担う。
【００４５】
[0056]ＵＬにおいて、データソース６６７は、コントローラ／プロセッサ６５９に上位レイヤパケットを提供するために使用される。データソース６６７は、Ｌ２レイヤより上位の全てのプロトコルレイヤを表す。ｅＮＢ６１０によるＤＬ送信に関連して説明された機能と同様に、コントローラ／プロセッサ６５９は、ｅＮＢ６１０による無線リソースの割り振りに基づいて、論理チャネルとトランスポートチャネルと間での多重化、パケットセグメンテーションと並び替え、暗号化、およびヘッダ圧縮を提供することによって、ユーザプレーンおよび制御プレーンのためのＬ２レイヤをインプリメントする。コントローラ／プロセッサ６５９はまた、ＨＡＲＱ動作、損失パケットの再送、ｅＮＢ６１０へのシグナリングを担う。
【００４６】
[0057]ｅＮＢ６１０によって送信されたフィードバックまたは基準信号からチャネル推定器６５８によって導出されたチャネル推定値は、適切なコーディングおよび変調スキームを選択することと、空間処理を容易にすることとを行うためにＴＸプロセッサ６６８によって使用されうる。ＴＸプロセッサ６６８によって生成された空間ストリームは、別個の送信機６５４ＴＸを介して異なるアンテナ６５２に提供される。各送信機６５４ＴＸは、送信のためにそれぞれの空間ストリームを用いてＲＦキャリアを変調する。
【００４７】
[0058]ＵＬ送信は、ＵＥ６５０における受信機機能に関連して説明されたのと同様の方法でｅＮＢ６１０において処理される。各受信機６１８ＲＸは、そのそれぞれのアンテナ６２０を通じて信号を受信する。各受信機６１８ＲＸは、ＲＦキャリア上において変調された情報を復元し、ＲＸプロセッサ６７０に情報を提供する。ＲＸプロセッサ６７０は、Ｌ１レイヤをインプリメントしうる。
【００４８】
[0059]コントローラ／プロセッサ６７５は、Ｌ２レイヤをインプリメントする。コントローラ／プロセッサ６７５は、プログラムコードおよびデータを記憶するメモリ６７６に関連付けられることができる。メモリ６７６は、コンピュータ可読媒体と呼ばれうる。ＵＬにおいて、コントローラ／プロセッサ６７５は、ＵＥ６５０からの上位レイヤパケットを復元するために、トランスポートチャネルと論理チャネルとの間での逆多重化、パケットのリアセンブリ、暗号解読、ヘッダの解凍、制御信号処理を提供する。コントローラ／プロセッサ６７５からの上位レイヤパケットは、コアネットワークに提供されうる。コントローラ／プロセッサ６７５はまた、ＨＡＲＱ動作をサポートするためにＡＣＫおよび／またはＮＡＣＫプロトコルを使用する誤り検出を担う。コントローラ／プロセッサ６７５、６５９は、それぞれ、ｅＮＢ６１０およびＵＥ６５０における動作を指示しうる。
【００４９】
[0060]ｅＮＢ６１０におけるコントローラ／プロセッサ６７５および／または他のプロセッサとモジュールとは、ＵＬ／ＤＬ構成のクロスキャリアインジケーションをスケジューリングするために本明細書において説明される技法のための動作、例えば、図１１内における動作１１００、および／または他の処理を遂行または指示しうる。ＵＥ６５０におけるコントローラ／プロセッサ６５９および／または他のプロセッサとモジュールとは、ＵＬ／ＤＬ構成のクロスキャリアインジケーションを受信および処理するために本明細書において説明される技法のための動作、例えば、図１２内における動作１２００、および／または他の処理を遂行または指示しうる。ある特定の態様において、図６内において示される任意のコンポーネントのうちの１つまたは複数は、本明細書において説明される技法のための実例的な動作１１００と１２００および／または他の処理を遂行するために用いられうる。メモリ６６０および６７６は、ＵＥ６５０およびｅＮＢ６１０のうちの１つまたは複数の他のコンポーネントによってアクセス可能および実行可能である、ＵＥ６５０およびｅＮＢ６１０のためのデータおよびプログラムコードをそれぞれ記憶しうる。
トラフィック適応のための発展型干渉管理（ＥＩＭＴＡ）
【００５０】
[0061]ＬＴＥネットワークのような、ある特定のワイヤレス通信ネットワークにおいて、周波数分割複信（ＦＤＤ）および（ＴＤＤ）フレーム構造の両方がサポートされうる。図７は、ＬＴＥ ＴＤＤのための実例的なフレーム構造７００を示す。
【００５１】
[0062]図７内において示されるように、１０ｍｓの無線フレーム７０２は、１０個のスロットまたは８つのスロットから成る各半分のフレーム（例えば、スロット７０６）、そして特別なサブフレーム７０８内における３つの特別なフィールドＤｗＰＴＳ（ダウンリンクパイロットタイムスロット、ＧＰ（ガード期間）、およびＵｐＰＴＳ（アップリンクパイロットタイムスロット）を有する、等しい長さ（例えば、５ｍｓ）の２つの半分のフレーム７０４から成る。各スロット７０６は、長さが０．５ｍｓであり、２つの連続するスロットは、ちょうど１つのサブフレーム７１０を形成する。
【００５２】
[0063]無線フレーム内において、ＬＴＥ ＴＤＤは、ダウンリンク送信とアップリンク送信との間を、およびその逆も同様に、何度も切り替える。ガード期間（ＧＰ）は、ダウンリンクからアップリンクに切り替える場合にＤｗＰＴＳとＵｐＰＴＳとの間に挿入される。ＧＰの持続時間は、基地局からモバイル局への往復にかかる信号伝搬時間、ならびに受信することから送ることに切り替えるためにモバイル局が必要とする時間に依存する。個々の特別なフィールドの長さは、ネットワークによって選択されたアップリンク／ダウンリンク構成に依存するが、３つの特別なフィールドの全長は、１ｍｓで一定のままである。
【００５３】
[0064]ＬＴＥ ＴＤＤにおいて、送信方向は、異なるサブフレーム内においてＵＬおよびＤＬデータを搬送することによって分けられる。図８の表８００内において示されるように、７つの可能なＤＬおよびＵＬサブフレーム構成がサポートされる。
【００５４】
[0065]表８００の列８０２内において示されるように、７つのＵＬ／ＤＬ構成は、０−６のインデックスによって識別される。列８０６内において示されるように、サブフレーム内における「Ｄ」は、ＤＬデータ送信を示し、「Ｕ」は、ＵＬデータ送信を示し、「Ｓ」は、図７に関連して上述された特別なフィールドＤｗＰＴＳ、ＧＰ、およびＵｐＰＴＳを有する特別なサブフレームを示す。列８０４内において示されるように、２つの切り替えの周期性、５ｍｓおよび１０ｍｓが存在する。５ｍｓの周期性の場合、図７内において例示されるように、１つの１０ｍｓのフレーム内において２つの特別なサブフレームが存在する。１０ｍｓの周期性の場合、１つのフレーム内において１つの特別なサブフレームが存在する。本方法および装置は、より多数のまたはより少数のサブフレーム構成がサポートされる場合に用いられうる。
【００５５】
[0066]ＬＴＥ Ｒｅｌ−１２において、トラフィック適応のための発展型干渉管理（ｅＩＭＴＡ）としても知られる、実際のトラフィックのニーズに基づいてＴＤＤ ＤＬ／ＵＬサブフレーム構成を動的に適応させることが可能である。例えば、短い持続時間中の場合、ダウンリンク上における大きなデータバーストが必要とされ、サブフレーム構成が、例えば、図８内において示される構成＃１（６ＤＬ：４ＵＬ）から構成＃５（９ＤＬ：１ＵＬ）に変更されうる。いくつかのケースにおいて、ＴＤＤサブフレーム構成の適応は、６４０ｍｓよりも遅くならないと予期される。極端なケースにおいて、適応は、１０ｍｓと同じくらい速くなると予期されうるが、これは、望ましくないことがありうる。
【００５６】
[0067]この適応は、しかしながら、２つ以上のセルが異なるダウンリンクおよびアップリンクサブフレームを有する場合にダウンリンクおよびアップリンクの両方に対して圧倒的な干渉を引き起こしうる。加えて、適応は、ＤＬおよびＵＬ ＨＡＲＱタイミング管理においていくらかの複雑性をもたらしうる。例えば、図８内において示される７つのＤＬ／ＵＬサブフレーム構成の各々は、それ自体のＤＬ／ＵＬ ＨＡＲＱタイミングを有する。さらに、ＤＬ／ＵＬ ＨＡＲＱタイミングは、（例えば、ＨＡＲＱ動作の効率性の点で）構成ごとに最適化される。ＰＤＳＣＨから対応するＡＣＫ／ＮＡＫへのタイミングは、（例えば、ＡＣＫ／ＮＡＫを送るためにいつ次に利用可能なアップリンクサブフレームが生じるのかに依存して）ＴＤＤ ＤＬ／ＵＬサブフレーム構成ごとに異なりうる。
【００５７】
[0068]このように、７つの（または、より柔軟な適応が必要であると見なされる場合、さらに多い）構成間における動的切り替えは、現在のＤＬ／ＵＬ ＨＡＲＱタイミングが維持される場合、ＤＬまたはＵＬ送信のうちのいくつかのための逃されたＡＣＫ／ＮＡＫ送信機会が存在しうることを暗示する。
【００５８】
[0069]ある特定の態様において、明示的なレイヤ１のシグナリングは、動的ＵＬ／ＤＬサブフレーム構成または再構成をＵＥに示すために使用されうる。例えば、構成は、明示的な再構成ＤＣＩ（ダウンリンク制御情報）内に含まれたＵＥグループ共通制御チャネル（例えば、図３に関連して上述されたＰＤＣＣＨまたはｅＰＤＣＣＨ）を介してＵＥに示されうる。一態様において、この制御チャネルは、少なくとも１つの新しい無線ネットワーク一時的識別子（ＲＮＴＩ：radio network temporary identifier）（例えば、ｅＩＭＴＡ−ＲＮＴＩ）によってスクランブルされうる。ある特定の態様において、ＵＬ／ＤＬ構成ごとに、制御チャネルは、７つのＴＤＤ ＵＬ／ＤＬ構成のうちの１つを明示的に示すために３ビットを搬送し、３ビットの異なる組み合わせは、異なるＵＬ／ＤＬサブフレーム構成を示しうる。一態様において、このグループ共通再構成ＤＣＩは、少なくともプライマリセル（Ｐｃｅｌｌ）ＰＤＣＣＨ ＣＳＳ（共通検索スペース：common search space）内において送信されうる。
【００５９】
[0070]ある特定の態様において、ＵＥが２つ以上のｅＩＭＴＡ使用可能なセルで構成される場合、ＵＥは、ＤＣＩがＰｃｅｌｌ ＰＤＣＣＨ ＣＳＳ内において送信される場合、２つ以上のｅＩＭＴＡ使用可能なセルについての１つの明示的な再構成ＤＣＩによって示されうる。すなわち、１つのＤＣＩは、ＵＥがｅＩＭＴＡ可能であるこれらの２つ以上のセルで構成される場合にＣＳＳ内において送信された２つ以上のセルについての再構成インジケータを搬送しうる。このケースにおいて、対応する２つ以上のｅＩＭＴＡ使用可能なセルについての２つ以上のインジケータ（例えば、３ビットの各々）は、ＤＣＩがＰｃｅｌｌ ＰＤＣＣＨ ＣＳＳ内において送信される場合、２つ以上のｅＩＭＴＡ使用可能なセルで構成されたＵＥについての１つの明示的な再構成ＤＣＩ内に含まれうる。一態様において、ＵＥは、１つまたは複数のセル内におけるＣＳＳをモニタしうる。さらに、ＵＥは、セル内のダウンリンクサブフレームのサブセット内におけるＣＳＳをモニタしうる。
実例的なＵＬ／ＤＬサブフレーム構成のクロスキャリアインジケーション
【００６０】
[0071]本開示のある特定の態様によると、キャリアアグリゲーション（ＣＡ）は、帯域幅を増加させるためにＬＴＥ−Ａにおいて使用されうる。キャリアアグリゲーションは、システムがＴＤＤおよびＦＤＤを利用するかどうかにかかわらず使用されうる。各アグリゲートされたキャリアは、コンポーネントキャリア（ＣＣ）と呼ばれる。コンポーネントキャリアが１．４、３、５、１０、１５または２０ＭＨｚの帯域幅を有し、最大５つのコンポーネントキャリアがアグリゲートされうることから、故に、１００ＭＨｚの最大帯域幅が達成されうる。キャリアは、帯域内を割り振られえ、すなわち、コンポーネントキャリアは、同じ動作周波数帯域に属する、または帯域間でありえ、そのケースにおいてコンポーネントキャリアは、異なる動作周波数帯域に属する。
【００６１】
[0072]図９は、３つの（帯域の）キャリア周波数ｘ、ｙおよびｚにわたる５つの構成されたセル（または対応するＣＣ）９０２−９１０を用いたキャリアアグリゲーションの例を示す。
【００６２】
[0073]図９内において示されるように、セル９０２−９１０は、帯域内を割り振られるセル（例えば、帯域ｘ内におけるセル９０２−９０４、およびまた帯域ｙ内における９０６−９０８）と、帯域間を割り振られるセル（例えば、帯域ｘ内におけるセル９０２−９０４、帯域ｙ内におけるセル９０６−９０８、および帯域ｚ内におけるセル９１０）とを含む。キャリアアグリゲーションが使用される場合、典型的に多数のサービングセルが、例えば、ＣＣごとに１つ存在する。サービングセルのカバレッジは、例えば、ＣＣ周波数に起因して、および電力プランニングとは、の両方で、異なりうる。ある特定の態様において、ある特定の動作、例えば、ＲＲＣ接続は、１つのセルによってのみ取り扱われ、プライマリサービングセル（Ｐｃｅｌｌ）は、プライマリコンポーネントキャリア（ＤＬおよびＵＬ ＰＣＣ）によってサービングされる。全ての他のコンポーネントキャリアは、セカンダリコンポーネントキャリア（ＤＬおよびＵＬ ＳＣＣ）と呼ばれ、セカンダリサービングセル（ＳＣＣ）にサービングする。例えば、図９内において示されるように、５つのＣＣ９０２−９１０のキャリアアグリゲーションは、１つのＰｃｅｌｌ９０２のみを含み、全ての他の９０４−９１０は、セカンダリセルである。
【００６３】
[0074]ある特定の態様において、セルは、１つのＣＣ（ＤＬまたはＵＬ）、あるいは１つのＤＬ ＣＣおよび１つのＵＬ ＣＣの組み合わせとして定義されうる。ＣＣおよびセルという用語は、本開示内において交換可能に使用される。
【００６４】
[0075]ある特定の態様において、ＵＥは、多数のＣＣ（例えば、ＰＣＣおよびＳＣＣ）で構成されうる。例えば、ＵＥは、ＣＣ９０２−９１０のうちの２つ以上で構成されうる。ある特定の態様において、１つのＤＣＩ内における全ての構成されたＣＣのＴＤＤ再構成インジケータの組み合わせを示すことは、ある特定の問題を有しうる。例えば、動的再構成がＵＥグループ内において共通でありうる一方でＣＣインデックス構成はＵＥ固有でありうる。典型的に、同じ構成は、ＵＥのグループ内における全てのＵＥに用いられる（indicated for）、および適用される。しかしながら、ＣＡ構成は、ＵＥ固有であり、ＵＥは、ＣＡのための異なるＣＣで構成されうる。
【００６５】
[0076]さらに、ある特定の態様において、全ての構成されたＣＣがｅＩＭＴＡ可能および／または使用可能ではないことがありうる。加えて、構成されたｅＩＭＴＡ使用可能なセルの場合、帯域間ＣＣのみが異なるＵＬ／ＤＬ構成を有しうる。このように、同じ帯域のＣＣは、同じＵＬ／ＤＬ構成を使用する可能性が高く、異なる帯域のＣＣは、異なるＵＬ／ＤＬ構成を使用することも、使用しないこともありうる。
【００６６】
[0077]キャリアアグリゲーションがｅＩＭＴＡとともに考慮される場合、本開示のある特定の態様は、ｅＩＭＴＡ使用可能なユーザについての多数のＣＣのＴＤＤ ＵＬ／ＤＬサブフレーム構成を動的および効率的に示すための技法を論述する。
【００６７】
[0078]ある特定の態様において、ＵＬ／ＤＬサブフレーム構成のクロスキャリアインジケーションは、ＣＣごとの１つのインジケータの代わりに、ＣＣのグループに基づきうる。図９は、３つのキャリアｘ、ｙ、およびｚにわたるセルのグループ分けを例示する。図９内において示されるように、３つのキャリアｘ、ｙ、およびｚにわたる５つの構成されたセル９０１−９１０は、（ｅＮＢの観点から）３つのグループに分割される。示されるように、グループ１は、Ｐｃｅｌｌ９０２およびＳｃｅｌｌ１ ９０４を含み、グループ２は、Ｓｃｅｌｌ２ ９０６およびＳｃｅｌｌ４ ９０８を含み、グループ３は、Ｓｃｅｌｌ３ ９１０を含む。ＵＥは、これらのセル９０２−９１０のうちの１つまたは複数で構成されうる。
【００６８】
[0079]ある特定の態様において、ＵＥがＮ個のＣＣで構成される場合、Ｎ個のＣＣの全てがｅＩＭＴＡ可能ではないことがありうる。例えば、ＰＣＣがマクロレイヤである場合、ｅＩＭＴＡは、使用可能ではないことがありうる。さらに、ＰＣＣがＦＤＤ ＣＣである場合、ｅＩＭＴＡは、必要ではないことがありうる。このように、一態様において、Ｎ個のＣＣ間において、Ｋ個のＣＣのセットは、ｅＩＭＴＡ可能として表され、ここにおいて、Ｋ＜＝Ｎでありうる。
【００６９】
[0080]いくつかのケースにおいて、グループ分けは、ｅＩＭＴＡ可能および使用可能であるＣＣに対してのみ行われうる。例えば、ｅＩＭＴＡ可能であるＫ個のＣＣのセットは、ｅＩＭＴＡ使用可能であるＣＣのＭ個のグループにグループ分けされうる。一態様において、Ｍ＜＝Ｋである。図９を参照すると、実例的なＣＣのグループ分けは、２つのグループ｛Ｐｃｅｌｌ、Ｓｃｅｌｌ１｝および｛Ｓｃｅｌｌ２、Ｓｃｅｌｌ４｝で構成されたＵＥ１を含みうる。２つのグループは、ＵＥ１の観点からグループ１およびグループ２と名付けられうる。別のＵＥ２は、２つのグループ｛Ｐｃｅｌｌ｝および｛Ｓｃｅｌｌ３｝で構成されうる。これらの２つのグループもまた、ＵＥ２の観点からグループ１およびグループ２と名付けられうる。
【００７０】
[0081]ある特定の態様において、ＣＣのグループは、ＵＥごとに構成されたＲＲＣでありうる。例えば、セカンダリセルがＵＥに対して構成され、ｅＩＭＴＡ可能でもある場合、それは、特定のグループに割り当てられうる。一態様において、セルがｅＩＭＴＡ可能であるか否かは、セカンダリセルの構成の前に決定されうる。
【００７１】
[0082]ある特定の態様において、ＣＣのグループ分けは、ＣＣが同じ帯域または異なる帯域に属するかどうかと関連しうる。例えば、全ての帯域内ＣＣは、同じグループに属し、帯域間ＣＣは、同じグループに属することも、属さないこともありうる。ある特定の態様において、デフォルトで、１つのセルがｅＩＭＴＡ可能である場合、同じ帯域内における全ての他の構成されたＣＣもまた、ｅＩＭＴＡ可能でありうる。一態様において、全ての帯域内ＣＣが同じグループに属することから、ＵＥは、同じ周波数帯域内における全てのＣＣについての１つの構成インジケータを受信しうる。さらに、帯域内ＣＡの場合、ｅＩＭＴＡが全てではないもののサービングセルのサブセット内において構成される場合、ＵＥは、同じｅＩＭＴＡ ＵＬ／ＤＬ構成が帯域内における全ての他のサービングセルに適用されると仮定しうる。
【００７２】
[0083]いくつかのケースにおいて、誤警報検出は、同じ帯域のＣＣのセットが同じ構成を有するか否かをチェックすることによって改善されうる。ＤＣＩが同じ帯域のＣＣについての異なる構成を示す場合、ＵＥは、それを誤って検出されたＤＣＩとして扱い、故にＤＣＩを破棄しうる。ある特定の態様において、グループ分けはまた、同じ周波数のセルに対して、例えば、ＣｏＭＰシナリオ４に対して行われうる。ある特定の態様において、帯域内ＣＡの場合、ｅＩＭＴＡが１つまたは多数のサービングセル内において構成される場合、ＵＥは、サービングセルごとの異なるＤＬ ＨＡＲＱ基準構成を受信すると予期されない。
【００７３】
[0084]上述されたように、同じグループ内におけるＣＣは、いつでも同じＵＬ／ＤＬサブフレーム構成を有しうる。上述されたように、各ＣＣのグループの再構成インジケータは、１つの明示的な再構成ＤＣＩ内に含まれうる。例えば、３ビットのインジケータは、ＣＣグループについてのＵＬ／ＤＬサブフレーム構成を示すためにＣＣグループごとに使用されうる。例えば、図９内において示される各ＣＣのグループの再構成インジケータは、１つの再構成ＤＣＩ内に含まれうる。
【００７４】
[0085]いくつかのケースにおいて、Ｌ個（例えば、Ｌ個のグループ）のＣＣグループの多数の再構成インジケータは、同じ再構成ＤＣＩ内に含まれうる。一態様において、１つのＤＣＩメッセージ内に含まれたＣＣグループの数（例えば、Ｌ個のグループ）は、ＵＥに対して構成されたＣＣグループの数（Ｍ個のグループ）と同じでないことがありうる。代替の態様において、Ｌ＞＝Ｍである。例えば、ＵＥは、２つのＣＣグループで構成され、ＤＣＩは、３つのＣＣグループを含みうる。このケースにおいて、ＵＥは、３つのグループのうちの２つのみをモニタしなければならないことがありうる。ＵＥは、ＤＣＩ内に含まれたグループ間におけるどのＣＣグループがそのグループのロケーションおよびこのＵＥのためのものなのか、すなわち、ＤＣＩメッセージ内のＬ個のグループ内におけるＭ個のグループの順序付けを決定する必要がある。
【００７５】
[0086]ある特定の態様において、ＤＣＩ内におけるＵＥのためのＭ個のグループの順序付けは、固定されうる。例えば、第１の代替によると、順序付けは、各グループ内における最下位のセルインデックスに基づきうる。例えば、２つのグループが存在し、それぞれ｛２、３｝および｛１、４｝であるグループ１および２内においてＣＣインデックスを含む２つのＣＣを各々が有する場合、最下位のセルインデックスに基づく順序付けは、グループ２に続いてグループ１でありうる。
【００７６】
[0087]第２の代替によると、グループの順序付けは、グループインデックスに基づきうる。このように、上述された同じ例の場合、順序付けは、グループ１に続いてグループ２でありうる。
【００７７】
[0088]第３の代替によると、グループの順序付けは、構成されたＲＲＣでありうる。例えば、各グループは、ＤＣＩ内における別個のインデックスを割り当てられうる。一態様において、ＵＥは、サービングノードから（例えば、ＤＣＩ内のＬ個のグループ間におけるＭ個のグループの順序付けを含む）セルのＭ個のグループの構成を受信しうる。
【００７８】
[0089]構成インジケーションがグループ固有である一方でＣＡはＵＥ固有の構成でありうることから、上述された第１および第２の代替の場合、ユーザ（例えば、ＵＥ）がＤＣＩメッセージ内における異なるＣＣグループの構成インデックスの順序付けを決定するために（例えば、上位レイヤシグナリングによって構成された）何らかの順序付けインデックスパラメータが必要でありうる。例えば、ＤＣＩ内における１つのＣＣグループの再構成インジケータのロケーションは、ユーザグループインデックスを順序付けインデックスに関連付けることによって決定されうる。言い換えれば、ＣＡ構成はＵＥ固有であるが、グループ分けおよびインデクシングは、好ましくはグループ固有（またはセル固有）である。
【００７９】
[0090]いくつかのケースにおいて、順序付けインデックスは、（例えば、サービングノードまたは基地局によって）別個に構成されうる、または暗示的に導出されうる。順序付けインデックスがサービング基地局によって構成されるケースにおいて、ＵＥは、サービング基地局から順序付けインデックスを受信する。一態様において、暗示的導出は、グループインデックスに基づきうる。例えば、ＵＥは、グループ１＝｛｝、グループ２＝｛ＣＣ１｝、グループ３＝｛｝、グループ４＝｛ＣＣ２、ＣＣ３｝で構成されうる。このように、ＵＥは、ＤＣＩ内における順序付けがグループ２については２番目であり、グループ４については４番目であること、すなわち、ＤＣＩ内における２番目および４番目のインジケータの位置を決定しうる。ある特定の態様において、ＵＥは、セルの非空リストを有する少なくとも１つのグループで構成されうる。一態様において、ＵＥは、セルの空リストを有する少なくとも１つのグループで構成されうる。一態様において、セルのグループ内において少なくとも２つのセルが存在する。これらのセルは、同じまたは異なるキャリア周波数に属しうる。
【００８０】
[0091]別個の構成は、グループごとに行われうる。例えば、ＵＥが２つのグループ、グループ１＝｛ＣＣ１｝およびグループ２＝｛ＣＣ２、ＣＣ３｝で構成される場合、ＵＥは、グループ１については２番目の位置を、グループ２については４番目の位置をモニタするように特に構成または指示されうる。
【００８１】
[0092]図９に関して上述された例に続き、ＵＥ２の観点からグループ１−｛Ｐｃｅｌｌ｝およびグループ２−｛Ｓｃｅｌｌ３｝を含むＵＥ２のための２つの構成されたグループは、ｅＮＢの観点からそれぞれグループ１および３である。このように、このケースにおいて、ＵＥは、ＤＣＩ内におけるグループについての順序付けインデックスを示される必要がある。代替として、ＵＥ２のためのグループは、グループ１およびグループ３として構成されえ、ここにおいて、グループ２は空であり、ＵＥ２は、グループインデックスに基づいて順序付けインデックスを決定する。
【００８２】
[0093]上記の例から見られうるように、ＵＥ１のためのグループ１が２つのＣＣを含む一方、ＵＥ２のためのグループ１は、１つのＣＣのみを含む。このように、異なるＵＥは、同じグループ分けインデックスに対して異なる解釈を有しうる。
【００８３】
[0094]ある特定の態様において、ＵＥ１およびＵＥ２が構成インデックスｎｊを有する同じ共通ＤＣＩ内において存在すると仮定すると、ＵＥは、ＤＣＩ内における順序付けを決定するためにグループＣＣインデックスに基づいてオフセットを適用しうる。例えば、ＵＥ１は、ｎｊおよびｎｊ＋１のインデックスから、構成されたＣＣグループ１および２についての再構成インジケータを決定しうる。ＵＥ２は、ｎｊおよびｎｊ＋２のインデックスから、構成されたＣＣグループ１および３についての再構成インジケータを決定しうる。
【００８４】
[0095]一例として、図１０は、本開示のある特定の態様にしたがって、再構成ＤＣＩ１０００内におけるＵＥ１およびＵＥ２についての再構成インジケータの決定された位置を例示する。一態様において、構成インデックスｎｊおよび／またはオフセットは、ＵＥに示されうるまたは構成されうる。ｎｊの値が１であると仮定すると、ＵＥ１は、そのインジケータの位置をｎｊ＝１およびｎｊ＋１＝２として決定しうる。同様に、ＵＥ２は、そのインジケータの位置をｎｊ＝１およびｎｊ+２＝３として決定しうる。
【００８５】
[0096]ある特定の態様において、ＵＥは、セルについてのインデックスをシグナリングされえ、ここにおいて、インデックスは、セルまたはセルのグループについてのＵＬ／ＤＬ構成を搬送するＤＣＩメッセージ内における位置にマッピングされる。一態様において、ＵＥは、各インデックスがセルまたはセルのグループについてのＵＬ／ＤＬ構成を搬送するＤＣＩメッセージ内におけるそれぞれの位置を示すことを示すセルまたはセルのグループごとの別個のインデックスをシグナリングされうる。ある特定の態様において、ＵＥは、同じセルグループおよび／または同じ周波数帯域の多数のセルについての同じインデックスをシグナリングされえ、このように、多数のセルについてのＤＣＩメッセージ内の同じ位置における同じＵＬ／ＤＬ構成を示す。一態様において、ＵＥは、異なるセル、例えば、異なるセルグループおよび／または異なる周波数帯域のセルについての異なるインデックスをシグナリングされうる。一態様において、ＵＥにシグナリングされるインデックスは、隣接しないことがありうる。
【００８６】
[0097]マルチフローシナリオのケースにおいて、ＵＥは、２つの共通検索スペース（ＣＳＳ）をモニタしうる。そのケースにおいては、グループの構成もまた、考慮に入れられるべきである。例えば、ＣＳＳ１は、ＣＣ１の１つのグループを有しうるが、一方でＣＳＳ２は、｛ＣＣ２、ＣＣ３｝およびＣＣ４の２つのグループを有しうる。ある特定の態様において、グループ間において重複するＣＣが存在しないことがありうる。１つのＣＣが１つよりも多くのグループに属するように構成されたＣＣグループ構成をＵＥが受信する場合、ＵＥは、それを誤構成と受け取りうる。しかし、２つ以上のＤＣＩがサポートされ、ＣＣが異なるＤＣＩの２つのグループ内において搬送される場合、重複した構成を有することは可能でありうる。このケースにおいて、一度に１つのＤＣＩのみが存在する限り、ＵＥは、サブフレームごとに１つのＤＣＩのみをモニタしうる。このように、セルの少なくとも２つのグループは、少なくとも１つの共通セルを含みえ、セルの少なくとも２つのグループの各々についてのＵＬ／ＤＬ構成は、異なるＤＣＩメッセージ内において受信される。
【００８７】
[0098]ある特定の態様において、ＦＤＤ−ＴＤＤ ＣＡおよびＦＤＤがＰｃｅｌｌ内で使用されるケースにおいては、ＣＣのグループ分けは、ＴＤＤキャリアに対してのみ必要とされうる。
【００８８】
[0099]このケースにおいて、ＦＤＤキャリアはまた、ｅＩＭＴＡ可能となるように指定されうるが、好ましくはない。多数のＣＣグループについての再構成インジケータの送信は、以下のオプションを有しうる。例えば、第１の代替によると、インジケータは、ＦＤＤ ＣＳＳ上において送信されうるが、ＴＤＤのための固定されたＤＬサブフレームであるＤＬサブフレーム｛０、１、５、６｝のサブセット内においてのみである。第２の代替によると、インジケータは、アンカーＴＤＤキャリア（例えば、プライマリキャリア）として構成されるＴＤＤキャリアのうちの１つのＣＳＳ上において送信されうる。
【００８９】
[00100]ある特定の態様において、ＵＥは、キャリアアグリゲーション動作、デュアル接続性動作（dual-connectivity operation）、または多地点協調動作（ＣｏＭＰ）のうちの少なくとも１つのための２つ以上のセルの構成を受信しえ、ＵＥは、２つ以上のセルのサブセットについてのＵＬ／ＤＬサブフレーム構成を取得する。
【００９０】
[00101]上述された技法は、ＢＳによって遂行されうる動作を表す、図１１内において示される動作１１００、およびＵＥによって遂行されうる対応する動作を表す、図１２内において示される動作１２００によって要約されうる。
【００９１】
[00102]図１１は、本開示のある特定の態様にしたがって、例えば、ＵＬ／ＤＬサブフレーム構成のクロスキャリアインジケーションのためにＢＳによって遂行される実例的な動作１１００を例示する。動作１１００は、１１０２において、ダウンリンク制御情報（ＤＣＩ）メッセージ内の異なる位置におけるセルのグループの第１のセットについてのＵＬ／ＤＬサブフレーム構成情報を備えるＤＣＩメッセージを生成することによって開始しうる。１１０４において、ＢＳは、セルのグループのうちの少なくとも１つを使用して通信するように構成された少なくとも１つのＵＥにＤＣＩメッセージを送信しうる。
【００９２】
[00103]図１２は、本開示のある特定の態様にしたがって、例えば、ＵＬ／ＤＬサブフレーム構成のクロスキャリアインジケーションのためにＵＥによって遂行される実例的な動作１２００を例示する。動作１２００は、１２０２において、第１のセルについての第１のインデックスの構成を受信することによって開始しえ、ここにおいて、第１のインデックスは、ダウンリンク制御情報（ＤＣＩ）メッセージ内における第１の位置にマッピングされる。１２０４において、ＵＥは、サブフレーム内においてＤＣＩメッセージを受信しうる。１２０６において、ＵＥは、第１のインデックスおよびＤＣＩメッセージに基づいて、第１のセルについてのＵＬ／ＤＬサブフレーム構成のインジケーションを決定しうる。１２０８において、ＵＥは、第１のセルについての決定されたＵＬ／ＤＬサブフレーム構成に基づいて、第１のセルと通信しうる。
【００９３】
[00104]開示されたプロセスにおけるステップの特定の順序または階層は例証的なアプローチの例示であるということが理解される。設計の選好に基づいて、プロセスにおけるステップの特定の順序または階層は再配置されうるということが理解される。さらに、いくつかのステップは、組み合わされうるか、または省略されうる。添付の方法の請求項は、サンプルの順序で様々なステップの要素を提示するものであり、提示された特定の順序または階層に限定されるように意図されるものではない。
【００９４】
[00105]その上、「または／あるいは／もしくは（or）」という用語は、排他的な「または／あるいは／もしくは」というよりはむしろ包括的な「または／あるいは／もしくは」を意味するように意図される。すなわち、そうではないと規定されていない、またはコンテキストから明らかでない限り、例えば、「ＸはＡまたはＢを用いる」というフレーズは、自然な包括的置換のうちのいずれかを意味するように意図される。すなわち、例えば、「ＸはＡまたはＢを用いる」というフレーズは、ＸはＡを用いる、ＸはＢを用いる、またはＸはＡおよびＢの両方を用いる、という例のうちのいずれかによって満たされる。加えて、本願および添付された特許請求の範囲内において使用される冠詞「ａ」および「ａｎ」は概して、そうではないと規定されていない、または単数形を対象とすることがコンテキストから明らかでない限り、「１つまたは複数」を意味するように解釈されるべきである。項目のリストのうちの「少なくとも１つ」を指すフレーズは、単一のメンバを含む、それらの項目のうちの任意の組み合わせを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーするように意図される。
【００９５】
[00106]先の説明は、いかなる当業者であっても、本明細書において説明された様々な態様を実施することを可能にするために提供される。これらの態様への様々な修正は、当業者にとって容易に明らかとなり、本明細書において定義された包括的な原理は、他の態様に適用されうる。このように、特許請求の範囲は、本明細書に示された態様に限定されるように意図されず、特許請求の範囲における文言と一致する全範囲を付与されるべきであり、ここにおいて、単数形での要素への言及は、そうであると具体的に記載されない限り、「１つおよび１つのみ」を意味するように意図されず、むしろ「１つまたは複数」を意味するように意図される。そうでないと具体的に記載されない限り、「何らかの／いくつかの／いくらかの（some）」という用語は、１つまたは複数を指す。当業者に知られている、または後に知られることとなる、本開示全体を通じて説明された様々な態様の要素と構造的および機能的に同等な物は全て、参照によって本明細書に明確に組み込まれ、特許請求の範囲によって包含されるように意図される。その上、本明細書におけるどの開示も、そのような開示が特許請求の範囲内において明示的に列挙されているかどうかにかかわらず、公に献呈されるように意図されるものではない。要素が「〜のための手段」というフレーズを使用して明確に列挙されない限り、どの請求項の要素もミーンズプラスファンクションとして解釈されるべきではない。
以下に、本願の出願当初の特許請求の範囲に記載された発明を付記する。
［Ｃ１］
ユーザ機器（ＵＥ）によるワイヤレス通信のための方法であって、
第１のセルについての第１のインデックスの構成を受信することと、ここにおいて、前記第１のインデックスは、ダウンリンク制御情報（ＤＣＩ）メッセージ内における第１の位置にマッピングされる、
サブフレーム内において前記ＤＣＩメッセージを受信することと、
前記第１のインデックスおよび前記ＤＣＩメッセージに基づいて、前記第１のセルについてのアップリンク（ＵＬ）／ダウンリンク（ＤＬ）サブフレーム構成のインジケーションを決定することと、
前記第１のセルについての前記決定されたＵＬ／ＤＬサブフレーム構成に基づいて、前記第１のセルと通信することと
を備える、方法。
［Ｃ２］
第２のセルについての第２のインデックスの構成を受信すること、ここにおいて、前記第２のインデックスは、前記第１のインデックスと同じである、をさらに備える、Ｃ１に記載の方法。
［Ｃ３］
前記第１のセルおよび前記第２のセルは、同じ周波数帯域のものである、Ｃ２に記載の方法。
［Ｃ４］
前記第１のセルおよび前記第２のセルは、同時に同じ前記ＵＬ／ＤＬサブフレーム構成を使用するように示される、Ｃ２に記載の方法。
［Ｃ５］
第２のセルについての第２のインデックスの構成を受信すること、ここにおいて、前記第１のインデックスおよび前記第２のインデックスは、異なる、をさらに備える、Ｃ１に記載の方法。
［Ｃ６］
前記第１のセルおよび前記第２のセルは、異なる周波数帯域のものである、Ｃ５に記載の方法。
［Ｃ７］
前記第１のインデックスおよび前記第２のインデックスは、隣接していない、Ｃ５に記載の方法。
［Ｃ８］
前記ＵＥについての、前記第１のセルを含む、複数のセルの構成を受信すること、ここにおいて、前記複数のセルは、プライマリセルおよび少なくとも１つのセカンダリセルを備える、をさらに備える、Ｃ１に記載の方法。
［Ｃ９］
前記プライマリセル上において送信された前記ＤＣＩメッセージに基づいて、前記複数のセルのうちの少なくとも２つについてのＵＬ／ＤＬサブフレーム構成を決定することをさらに備える、Ｃ８に記載の方法。
［Ｃ１０］
第２のＤＣＩメッセージを受信することと、前記少なくとも１つのセカンダリセル上において送信された前記第２のＤＣＩメッセージに基づいて、前記複数のセルのうちの少なくとも１つについてのＵＬ／ＤＬサブフレーム構成を決定することとをさらに備える、Ｃ８に記載の方法。
［Ｃ１１］
前記ＤＣＩメッセージは、共通検索スペース内において受信される、Ｃ１に記載の方法。
［Ｃ１２］
前記共通検索スペースは、１つまたは複数のセル内における前記ＵＥによってモニタされる、Ｃ１１に記載の方法。
［Ｃ１３］
前記ＤＣＩメッセージは、セル内のダウンリンクサブフレームのセブセット内における前記ＵＥによってモニタされる、Ｃ１に記載の方法。
［Ｃ１４］
前記第１のセルは、動的に変化するＵＬ／ＤＬサブフレーム構成をサポートする、Ｃ１に記載の方法。
［Ｃ１５］
基地局（ＢＳ）によるワイヤレス通信のための方法であって、
ダウンリンク制御情報（ＤＣＩ）メッセージ内の異なる位置におけるセルのグループのセットについてのアップリンク（ＵＬ）／ダウンリング（ＤＬ）サブフレーム構成情報を備える前記ＤＣＩメッセージを生成することと、
前記セルのグループのうちの少なくとも１つを使用して通信するように構成された少なくとも１つのＵＥに前記ＤＣＩメッセージを送信することと
を備える、方法。
［Ｃ１６］
セルが動的に変化するＵＬ／ＤＬサブフレーム構成をサポートするかどうかを決定することと、
前記セルが前記動的に変化するＵＬ／ＤＬサブフレーム構成をサポートする場合に前記セルをセルのグループに割り当てることと
をさらに備える、Ｃ１５に記載の方法。
［Ｃ１７］
同時に同じ前記ＵＬ／ＤＬサブフレーム構成を使用するために同じ前記グループの全てのセルを構成することをさらに備える、Ｃ１５に記載の方法。
［Ｃ１８］
同じセルのグループ内において同じ周波数帯域の全てのセルを構成することをさらに備える、Ｃ１５に記載の方法。
［Ｃ１９］
第１のセルについての前記ＤＣＩメッセージ内における位置にマッピングされたインデックスで前記少なくとも１つのＵＥを構成することと、
第２のセルについての前記ＤＣＩメッセージ内における前記位置にマッピングされた前記インデックスを構成することと、ここにおいて、前記第１のセルおよび前記第２のセルは、同じグループのものである、
をさらに備える、Ｃ１５に記載の方法。
［Ｃ２０］
前記ＤＣＩを送信することは、
各セルのグループの前記ＵＬ／ＤＬサブフレーム構成を示すために前記ＤＣＩ内における再構成インジケータを送信することを備える、Ｃ１５に記載の方法。
［Ｃ２１］
第１のセルのグループおよび第２のセルのグループは、異なる周波数帯域のものである、Ｃ１５に記載の方法。
［Ｃ２２］
第２のＵＥに前記ＤＣＩメッセージを送信すること、ここにおいて、前記第２のＵＥは、前記少なくとも１つのＵＥによってモニタされたセルのグループの前記セットとは異なるセルのグループのセットをモニタする、をさらに備える、Ｃ１５に記載の方法。
［Ｃ２３］
前記ＤＣＩメッセージは、共通検索スペース内において送信される、Ｃ１５に記載の方法。
［Ｃ２４］
前記ＤＣＩメッセージは、セル内のダウンリンクサブフレームのセブセット内における前記ＵＥによってモニタされる、Ｃ１５に記載の方法。
［Ｃ２５］
ユーザ機器（ＵＥ）によるワイヤレス通信のための装置であって、
第１のセルについての第１のインデックスの構成を受信するための手段と、ここにおいて、前記第１のインデックスは、ダウンリンク制御情報（ＤＣＩ）メッセージ内における第１の位置にマッピングされる、
サブフレーム内において前記ＤＣＩメッセージを受信するための手段と、
前記第１のインデックスおよび前記ＤＣＩメッセージに基づいて、前記第１のセルについてのアップリンク（ＵＬ）／ダウンリンク（ＤＬ）サブフレーム構成のインジケーションを決定するための手段と、
前記第１のセルについての前記決定されたＵＬ／ＤＬサブフレーム構成に基づいて、前記第１のセルと通信するための手段と
を備える、装置。
［Ｃ２６］
第２のセルについての第２のインデックスの構成を受信するための手段、ここにおいて、前記第２のインデックスは、前記第１のインデックスと同じである、をさらに備える、Ｃ２５に記載の装置。
［Ｃ２７］
前記第１のセルおよび前記第２のセルは、同じ周波数帯域のものである、Ｃ２６に記載の装置。
［Ｃ２８］
基地局（ＢＳ）によるワイヤレス通信のための装置であって、
ダウンリンク制御情報（ＤＣＩ）メッセージ内の異なる位置におけるセルのグループのセットについてのアップリンク（ＵＬ）／ダウンリング（ＤＬ）サブフレーム構成情報を備える前記ＤＣＩメッセージを生成するための手段と、
前記セルのグループのうちの少なくとも１つを使用して通信するように構成された少なくとも１つのＵＥに前記ＤＣＩメッセージを送信するための手段と
を備える、装置。
［Ｃ２９］
セルが動的に変化するＵＬ／ＤＬサブフレーム構成をサポートするかどうかを決定するための手段と、
前記セルが前記動的に変化するＵＬ／ＤＬサブフレーム構成をサポートする場合に前記セルをセルのグループに割り当てるための手段と
をさらに備える、Ｃ２８に記載の装置。
［Ｃ３０］
同時に同じ前記ＵＬ／ＤＬサブフレーム構成を使用するために同じ前記グループの全てのセルを構成するための手段をさらに備える、Ｃ２８に記載の装置。
【図１】
0006576920.tif 000002
【図２】
0006576920.tif 000003
【図３】
0006576920.tif 000004
【図４】
0006576920.tif 000005
【図５】
0006576920.tif 000006
【図６】
0006576920.tif 000007
【図７】
0006576920.tif 000008
【図８】
0006576920.tif 000009
【図９】
0006576920.tif 000010
【図１０】
0006576920.tif 000011
【図１１】
0006576920.tif 000012
【図１２】
0006576920.tif 000013